(57)【要約】【課題】  高精度な配車管理を実現する。【解決手段】  荷物を車両で搬送するための配車の割当てを行う配車管理サーバと、該配車管理サーバに配車の割当ての要求を行う運送業者端末とからなる配車管理システムにおいて、前記配車管理サーバは、予約情報を前記運送業者端末の画面に表示させるための表示画面生成手段と、画面により前記運送業者端末から割当てられた配車情報に基づいてメールを生成するメール生成手段と、前記メール生成手段により得られるメールを、搬送作業を担当するドライバが所持する携帯端末あるいは該ドライバが運転する車両と共に移動する移動端末へ送信するための通信手段と、前記配車情報に基づいて前記携帯端末あるいは前記移動端末からアクセスされた場合に、前記所定区域の入退場時の認証で必要となる識別コードを生成する識別コード生成手段とを有することにより上記課題を解決する。【選択図】  図１
2005263477.tif 000002
【特許請求の範囲】
【請求項１】
荷物の搬出又は搬入時に利用する所定区域内を管理する管理サーバに予め登録されている予約情報に基づいて、前記荷物を車両で搬送するための配車の割当てを行う配車管理サーバと、該配車管理サーバに配車の割当ての要求を行う運送業者端末とからなる配車管理システムにおいて、
前記配車管理サーバは、アクセスしてきた前記運送業者端末毎に対応する予約情報を前記運送業者端末の画面に表示させるための表示画面生成手段と、
前記表示画面生成手段により得られる画面により前記運送業者端末から割当てられた配車情報に基づいてメールを生成するメール生成手段と、
前記メール生成手段により得られるメールを、搬送作業を担当するドライバが所持する携帯端末あるいは該ドライバが運転する車両と共に移動する移動端末へ送信するための通信手段と、
前記配車情報に基づいて前記携帯端末あるいは前記移動端末からアクセスされた場合に、前記所定区域の入退場時の認証で必要となる識別コードを生成する識別コード生成手段とを有することを特徴とする配車管理システム。
【請求項２】
前記表示画面生成手段は、
前記運送業者端末からの配車変更要求に対して、予め登録されている配車情報に基づいて、変更設定を行うための変更設定画面を生成し、
前記通信手段は、
前記運送業者端末に配車情報が変更された場合に、搬送作業を担当するドライバが所持する携帯端末あるいは該ドライバが運転する車両と共に移動する移動端末へ送信することを特徴とする請求項１に記載の配車管理システム。
【請求項３】
前記表示画面生成手段は、
前記運送業者端末からの前記ドライバに対するメール送信要求に対して、予め登録されているドライバ情報及び配車情報に基づいてドライバ毎にメール送信の設定を行うためのメール送信設定画面を生成し、
前記通信手段は、
前記運送業者端末に配車情報が変更された場合に、搬送作業を担当するドライバが所持する携帯端末あるいは該ドライバが運転する車両と共に移動する移動端末へ送信することを特徴とする請求項１又は２に記載の配車管理システム。
【請求項４】
前記携帯端末あるいは前記移動端末は、
前記配車管理サーバから送信されたメール中に含まれるアドレス情報に基づいて、前記配車管理サーバへアクセスすることを特徴とする請求項１乃至３の何れか１項に記載の配車管理システム。
【請求項５】
前記配車管理サーバは、
前記運送業者端末又は前記携帯端末あるいは前記移動端末を認証する認証手段を有し、
前記認証手段により得られるユーザ識別情報又は端末固体情報に基づいて、前記運送業者端末又は前記携帯端末あるいは前記移動端末に対応する前記予約情報又は前記配車情報を出力することを特徴とする請求項１乃至４の何れか１項に記載の配車管理システム。
【請求項６】
前記識別コードは、二次元バーコードであることを特徴とする請求項１乃至５の何れか１項に記載の配車管理システム。
【請求項７】
前記荷物はコンテナであり、前記所定区域は港湾施設であることを特徴とする請求項１乃至６の何れか１項に記載の配車管理システム。
【請求項８】
荷物の搬出又は搬入時に利用する所定区域内を管理する管理サーバに予め登録されている予約情報に基づいて、前記荷物を車両で搬送するための配車の割当てを行う配車管理サーバにおいて、
前記車両の配車の割当ての要求を行う運送業者端末毎に対応する予約情報を前記運送業者端末の画面に表示させるための表示画面生成手段と、
前記表示画面生成手段により得られる画面により前記運送業者端末から割当てられた配車情報に基づいてメールを生成するメール生成手段と、
前記メール生成手段により得られるメールを、搬送作業を担当するドライバが所持する携帯端末あるいは該ドライバが運転する車両と共に移動する移動端末へ送信するための通信手段と、
前記配車情報に基づいて前記携帯端末あるいは前記移動端末からアクセスされた場合に、前記所定区域の入退場時の認証で必要となる識別コードを生成する識別コード生成手段とを有することを特徴とする配車管理サーバ。
【請求項９】
前記表示画面生成手段は、
前記運送業者端末からの配車変更要求に対して、予め登録されている前記配車情報に基づいて、変更設定を行うための変更設定画面を生成し、
前記通信手段は、
前記運送業者端末に配車情報が変更された場合に、搬送作業を担当するドライバが所持する携帯端末あるいは該ドライバが運転する車両と共に移動する移動端末へ送信することを特徴とする請求項８に記載の配車管理サーバ。
【請求項１０】
前記表示画面生成手段は、
前記運送業者端末からの前記ドライバに対するメール送信要求に対して、予め登録されているドライバ情報及び配車情報に基づいてドライバ毎にメール送信の設定を行うためのメール送信設定画面を生成し、
前記通信手段は、
前記運送業者端末に配車情報が変更された場合に、搬送作業を担当するドライバが所持する携帯端末あるいは該ドライバが運転する車両と共に移動する移動端末へ送信することを特徴とする請求項８又は９に記載の配車管理サーバ。
【請求項１１】
前記メール生成手段は、
前記携帯端末あるいは前記移動端末に送信する前記配車情報における前記所定区域の入退場時の認証で必要となる識別コードを生成する識別コードを取得するためのアドレス情報をメールに付加することを特徴とする請求項８乃至１０の何れか１項に記載の配車管理サーバ。
【請求項１２】
前記識別コードは、二次元バーコードであることを特徴とする請求項８乃至１１の何れか１項に記載の配車管理サーバ。
【請求項１３】
前記荷物はコンテナであり、前記所定区域は港湾施設であることを特徴とする請求項８乃至１２の何れか１項に記載の配車管理サーバ。
【請求項１４】
荷物の搬出又は搬入時に利用する所定区域内を管理する管理サーバに予め登録されている予約情報に基づいて、前記荷物を車両で搬送するための配車の割当てを行う配車管理方法において、
前記車両の配車の割当ての要求を行う運送業者端末毎に対応する予約情報を前記運送業者端末の画面に表示させるための表示画面生成段階と、
前記表示画面生成段階により得られる画面により前記運送業者端末から割当てられた配車情報に基づいてメールを生成するメール生成段階と、
前記メール生成段階により得られるメールを、搬送作業を担当するドライバが所持する携帯端末あるいは該ドライバが運転する車両と共に移動する移動端末へ送信するための通信段階と、
前記配車情報に基づいて前記携帯端末あるいは前記移動端末からアクセスされた場合に、前記所定区域の入退場時の認証で必要となる識別コードを生成する識別コード生成段階とを有することを特徴とする配車管理方法。
【請求項１５】
前記運送業者端末からの配車変更要求に対して、予め登録されている前記配車情報に基づいて、変更設定を行うための変更設定画面を生成し、前記運送業者端末に配車情報が変更された場合に、搬送作業を担当するドライバが所持する携帯端末あるいは該ドライバが運転する車両と共に移動する移動端末へ送信することを特徴とする請求項１４に記載の配車管理方法。
【請求項１６】
前記運送業者端末からの前記ドライバに対するメール送信要求に対して、予め登録されているドライバ情報及び配車情報に基づいてドライバ毎にメール送信の設定を行うためのメール送信設定画面を生成し、前記運送業者端末に配車情報が変更された場合に、搬送作業を担当するドライバが所持する携帯端末あるいは該ドライバが運転する車両と共に移動する移動端末へ送信することを特徴とする請求項１４又は１５に記載の配車管理方法。
【請求項１７】
前記メール生成段階は、
前記携帯端末あるいは前記移動端末に送信する前記配車情報における前記所定区域の入退場時の認証で必要となる識別コードを生成する識別コードを取得するためのアドレス情報をメールに付加することを特徴とする請求項１４乃至１６の何れか１項に記載の配車管理方法。
【請求項１８】
請求項１４乃至１７の何れか１項記載の配車管理方法をコンピュータに実行させるための配車管理プログラム。
【発明の詳細な説明】
【技術分野】
【０００１】
本発明は、配車管理システム、配車管理サーバ、配車管理方法、及び配車管理プログラムに係り、特に、運送業者における配車作業を効率的に行い、高精度な配車管理を実現するための配車管理システム、配車管理サーバ、配車管理方法、及び配車管理プログラムに関する。
【背景技術】
【０００２】
従来、貨物等の荷物を輸出する場合は、港湾施設等の所定区域からコンテナを借り出し、積み込み場所（バンニング場所）に移動してコンテナに貨物を詰めた後、貨物を詰めた実入りコンテナを港湾施設に搬入するという作業が必要となる。一般に、これらの作業は海貨業者等の貨物の荷主から依頼を受けた運送業者等が代行している。
【０００３】
つまり、運送業者では配送担当者がコンテナを搬入するトラック等の車両（ドライバ）の割当てを行い、割当てられたドライバが港湾施設から空のコンテナを搬出し、積み込み場所に移動して荷主から預かった貨物をコンテナに詰め、貨物を詰めたコンテナを車両に積んで港湾施設に搬入する。
【０００４】
ここで、港湾施設からコンテナを搬出する場合や、港湾施設にコンテナを搬入する場合には、港湾施設内において車両へのコンテナの積み込み等の作業が発生するため、予めコンテナを搬入又は搬出する旨の予約を港湾施設に対して行う必要がある。具体的には、運送業者が港湾施設からコンテナを借り出す際にはコンテナの搬出の予約を、貨物を詰め込んだコンテナを港湾施設に搬入する際にはコンテナの搬入の予約を行う。なお、従来では上述した予約を行う場合の運送業者と港湾施設とのやりとりは、電話やＦＡＸによって行われていた。
【０００５】
そのため、最近では、港湾のコンテナ貨物ターミナルにおけるコンテナ貨物等の物流貨物の搬出予約を効率的に行うシステムが提案されている（例えば、特許文献１参照。）。
特許文献１では、搬出時刻に関するデータとユーザ認証に関するデータとを処理することにより、集荷場からの物流貨物の搬出を予約管理する搬出管理サーバと、ユーザ認証に関するデータを入力し通信手段を介してアクセスし、搬出の予約・取消・照会・修正に関するデータを入力し、搬出管理サーバからの処理結果を表示可能な搬出予約端末とを備えている。
【０００６】
また、コンテナを積んだ車両が入退場する所定区域においては、その入場を許可するため料金所やコンテナのチェックを行うためのゲートが設けられているのが一般的である。そのようなゲートでは、作業員が待機しており、車両やコンテナのチェック、又は車両の運転手（乗員）との料金の支払いや身分の証明、その他種々の手続きを行い、予め設定された予約情報と照合して確認作業を行っている。また、最近では、コンテナを積載した車両が所定区域の出入口に設置されたゲートを通過する際に行うゲートチェックを迅速で高精度に行うことができるようにバーコード等の識別コード等をドライバの携帯端末に送信し、ドライバがゲートで、その識別コードを提示することにより、サーバにある予約情報との認証を迅速に行う方法が本出願人により提案されている。
【特許文献１】特開２００３―１２１５８号公報
【発明の開示】
【発明が解決しようとする課題】
【０００７】
しかしながら、配車を行うシステムと港湾施設等の所定区域における荷物の搬出、搬入における予約管理システムとは同一のシステムではなく、オペレータ等が予約情報に基づいて、夫々のシステムに入力処理を行う等の非効率な作業が存在していた。また、高精度な配車管理を行うためには、ドライバへの迅速で正確な情報の連絡が必要であるが、例えば、ドライバが所持する携帯端末にメールで連絡を行うだけの場合には、携帯端末の容量等の問題により十分な情報を送信することができず、認識の違い等が生じる恐れがある。
【０００８】
本発明は、上記の問題点に鑑みてなされたものであって、運送業者における配車作業を効率的に行い、高精度な配車管理を実現するための配車管理システム、配車管理サーバ、配車管理方法、及び配車管理プログラムを提供することを目的とする。
【課題を解決するための手段】
【０００９】
上記課題を解決するために、本件発明は、以下の特徴を有する課題を解決するための手段を採用している。
【００１０】
請求項１に記載された発明は、荷物の搬出又は搬入時に利用する所定区域内を管理する管理サーバに予め登録されている予約情報に基づいて、前記荷物を車両で搬送するための配車の割当てを行う配車管理サーバと、該配車管理サーバに配車の割当ての要求を行う運送業者端末とからなる配車管理システムにおいて、前記配車管理サーバは、アクセスしてきた前記運送業者端末毎に対応する予約情報を前記運送業者端末の画面に表示させるための表示画面生成手段と、前記表示画面生成手段により得られる画面により前記運送業者端末から割当てられた配車情報に基づいてメールを生成するメール生成手段と、前記メール生成手段により得られるメールを、搬送作業を担当するドライバが所持する携帯端末あるいは該ドライバが運転する車両と共に移動する移動端末へ送信するための通信手段と、前記配車情報に基づいて前記携帯端末あるいは前記移動端末からアクセスされた場合に、前記所定区域の入退場時の認証で必要となる識別コードを生成する識別コード生成手段とを有することを特徴とする。
【００１１】
請求項１記載の発明によれば、運送業者における配車作業を迅速で効率的に行うことができ、ドライバにも配車作業内容を迅速に通知することができる。更に、ドライバは所定区域の入退場時に必要となる識別コードを迅速に取得することができるため、搬送作業を迅速で効率的に行うことができる。これにより、高精度な配車管理を実現することができる。
【００１２】
請求項２に記載された発明は、前記表示画面生成手段は、前記運送業者端末からの配車変更要求に対して、予め登録されている配車情報に基づいて、変更設定を行うための変更設定画面を生成し、前記通信手段は、前記運送業者端末に配車情報が変更された場合に、搬送作業を担当するドライバが所持する携帯端末あるいは該ドライバが運転する車両と共に移動する移動端末へ送信することを特徴とする。
【００１３】
請求項２記載の発明によれば、作業の変更についても、運用業者の配車担当者は容易に設定を変更することができる。また、変更した内容をドライバに迅速に通知することができる。
【００１４】
請求項３に記載された発明は、前記表示画面生成手段は、前記運送業者端末からの前記ドライバに対するメール送信要求に対して、予め登録されているドライバ情報及び配車情報に基づいてドライバ毎にメール送信の設定を行うためのメール送信設定画面を生成し、前記通信手段は、前記運送業者端末に配車情報が変更された場合に、搬送作業を担当するドライバが所持する携帯端末あるいは該ドライバが運転する車両と共に移動する移動端末へ送信することを特徴とする。
【００１５】
請求項３記載の発明によれば、メールを送信したいドライバに対して迅速にメールを送信することができる。また、ドライバ毎にメールの送信を繰り返し行うことができるため、ドライバに迅速で確実に作業内容を通知することができる。
【００１６】
請求項４に記載された発明は、前記携帯端末あるいは前記移動端末は、前記配車管理サーバから送信されたメール中に含まれるアドレス情報に基づいて、前記配車管理サーバへアクセスすることを特徴とする。
【００１７】
請求項４記載の発明によれば、ドライバは、携帯端末あるいは移動端末により作業内容の詳細な情報を容易に取得することができる。これにより、ドライバに作業内容の正確な内容を把握させることができる。
【００１８】
請求項５に記載された発明は、前記配車管理サーバは、前記運送業者端末又は前記携帯端末あるいは前記移動端末を認証する認証手段を有し、前記認証手段により得られるユーザ識別情報又は端末固体情報に基づいて、前記運送業者端末又は前記携帯端末あるいは前記移動端末に対応する前記予約情報又は前記配車情報を出力することを特徴とする。
【００１９】
請求項５記載の発明によれば、認証手段により、配車管理サーバの利用者を管理できると共に、認証手段で取得した情報に基づいて、前記予約情報又は前記配車情報を効率的に表示させることができる。これにより、高精度な配車管理を実現することができる。
【００２０】
請求項６に記載された発明は、前記識別コードは、二次元バーコードであることを特徴とする。
【００２１】
請求項６記載の発明によれば、二次元バーコードを用いることにより、多くの情報をバーコードにて表示することができるため、認証チェックを高精度に行うことができ、また認証チェック時にも所定区域の入退場時に通過するゲート等に設けられたバーコードリーダに提示するだけでよいため、迅速な認証手続を実現することができる。
【００２２】
請求項７に記載された発明は、前記荷物はコンテナであり、前記所定区域は港湾施設であることを特徴とする。
【００２３】
請求項７記載の発明によれば、特に港湾施設におけるコンテナの搬送作業を迅速で効率的に行うことができる。
【００２４】
請求項８に記載された発明は、荷物の搬出又は搬入時に利用する所定区域内を管理する管理サーバに予め登録されている予約情報に基づいて、前記荷物を車両で搬送するための配車の割当てを行う配車管理サーバにおいて、前記車両の配車の割当ての要求を行う運送業者端末毎に対応する予約情報を前記運送業者端末の画面に表示させるための表示画面生成手段と、前記表示画面生成手段により得られる画面により前記運送業者端末から割当てられた配車情報に基づいてメールを生成するメール生成手段と、前記メール生成手段により得られるメールを、搬送作業を担当するドライバが所持する携帯端末あるいは該ドライバが運転する車両と共に移動する移動端末へ送信するための通信手段と、前記配車情報に基づいて前記携帯端末あるいは前記移動端末からアクセスされた場合に、前記所定区域の入退場時の認証で必要となる識別コードを生成する識別コード生成手段とを有することを特徴とする。
【００２５】
請求項８記載の発明によれば、運送業者における配車作業を迅速で効率的に行うことができ、ドライバにも配車作業内容を迅速に通知することができる。更に、ドライバは所定区域の入退場時に必要となる識別コードを迅速に取得することができるため、搬送作業を迅速で効率的に行うことができる。これにより、高精度な配車管理を実現することができる。
【００２６】
請求項９に記載された発明は、前記表示画面生成手段は、前記運送業者端末からの配車変更要求に対して、予め登録されている前記配車情報に基づいて、変更設定を行うための変更設定画面を生成し、前記通信手段は、前記運送業者端末に配車情報が変更された場合に、搬送作業を担当するドライバが所持する携帯端末あるいは該ドライバが運転する車両と共に移動する移動端末へ送信することを特徴とする。
【００２７】
請求項９記載の発明によれば、作業の変更についても、運用業者の配車担当者は容易に設定を変更することができる。また、変更した内容をドライバに迅速に通知することができる。
【００２８】
請求項１０に記載された発明は、前記表示画面生成手段は、前記運送業者端末からの前記ドライバに対するメール送信要求に対して、予め登録されているドライバ情報及び配車情報に基づいてドライバ毎にメール送信の設定を行うためのメール送信設定画面を生成し、
前記通信手段は、前記運送業者端末に配車情報が変更された場合に、搬送作業を担当するドライバが所持する携帯端末あるいは該ドライバが運転する車両と共に移動する移動端末へ送信することを特徴とする。
【００２９】
請求項１０記載の発明によれば、メールを送信したいドライバに対して迅速にメールを送信することができる。また、ドライバ毎にメールの送信を繰り返し行うことができるため、ドライバに迅速で確実に作業内容を通知することができる。
【００３０】
請求項１１に記載された発明は、前記メール生成手段は、前記携帯端末あるいは前記移動端末に送信する前記配車情報における前記所定区域の入退場時の認証で必要となる識別コードを生成する識別コードを取得するためのアドレス情報をメールに付加することを特徴とする。
【００３１】
請求項１１記載の発明によれば、ドライバは、携帯端末あるいは移動端末により作業内容の詳細な情報を容易に取得することができる。これにより、ドライバに作業内容の正確な内容を把握させることができる。
【００３２】
請求項１２に記載された発明は、前記識別コードは、二次元バーコードであることを特徴とする。
【００３３】
請求項１２記載の発明によれば、認証チェックを高精度に行うことができ、また認証チェック時にも所定区域の入退場時に通過するゲート等に設けられたバーコードリーダに提示するだけでよいため、迅速な認証手続を実現することができる。
【００３４】
請求項１３に記載された発明は、前記荷物はコンテナであり、前記所定区域は港湾施設であることを特徴とする。
【００３５】
請求項１３記載の発明によれば、特に港湾施設におけるコンテナの搬送作業を迅速で効率的に行うことができる。
【００３６】
請求項１４に記載された発明は、荷物の搬出又は搬入時に利用する所定区域内を管理する管理サーバに予め登録されている予約情報に基づいて、前記荷物を車両で搬送するための配車の割当てを行う配車管理方法において、前記車両の配車の割当ての要求を行う運送業者端末毎に対応する予約情報を前記運送業者端末の画面に表示させるための表示画面生成段階と、前記表示画面生成段階により得られる画面により前記運送業者端末から割当てられた配車情報に基づいてメールを生成するメール生成段階と、前記メール生成段階により得られるメールを、搬送作業を担当するドライバが所持する携帯端末あるいは該ドライバが運転する車両と共に移動する移動端末へ送信するための通信段階と、前記配車情報に基づいて前記携帯端末あるいは前記移動端末からアクセスされた場合に、前記所定区域の入退場時の認証で必要となる識別コードを生成する識別コード生成段階とを有することを特徴とする。
【００３７】
請求項１４記載の発明によれば、運送業者における配車作業を迅速で効率的に行うことができ、ドライバにも配車作業内容を迅速に通知することができる。更に、ドライバは所定区域の入退場時に必要となる識別コードを迅速に取得することができるため、搬送作業を迅速で効率的に行うことができる。これにより、高精度な配車管理を実現することができる。
【００３８】
請求項１５に記載された発明は、前記運送業者端末からの配車変更要求に対して、予め登録されている前記配車情報に基づいて、変更設定を行うための変更設定画面を生成し、前記運送業者端末に配車情報が変更された場合に、搬送作業を担当するドライバが所持する携帯端末あるいは該ドライバが運転する車両と共に移動する移動端末へ送信することを特徴とする。
【００３９】
請求項１５記載の発明によれば、作業の変更についても、運用業者の配車担当者は容易に設定を変更することができる。また、変更した内容をドライバに迅速に通知することができる。
【００４０】
請求項１６に記載された発明は、前記運送業者端末からの前記ドライバに対するメール送信要求に対して、予め登録されているドライバ情報及び配車情報に基づいてドライバ毎にメール送信の設定を行うためのメール送信設定画面を生成し、前記運送業者端末に配車情報が変更された場合に、搬送作業を担当するドライバが所持する携帯端末あるいは該ドライバが運転する車両と共に移動する移動端末へ送信することを特徴とする。
【００４１】
請求項１６記載の発明によれば、メールを送信したいドライバに対して迅速にメールを送信することができる。また、ドライバ毎にメールの送信を繰り返し行うことができるため、ドライバに迅速で確実に作業内容を通知することができる。
【００４２】
請求項１７に記載された発明は、前記メール生成段階は、前記携帯端末あるいは前記移動端末に送信する前記配車情報における前記所定区域の入退場時の認証で必要となる識別コードを生成する識別コードを取得するためのアドレス情報をメールに付加することを特徴とする。
【００４３】
請求項１７記載の発明によれば、ドライバは、携帯端末あるいは移動端末により作業内容の詳細な情報を容易に取得することができる。これにより、ドライバに作業内容の正確な内容を把握させることができる。
【００４４】
請求項１８に記載された発明は、請求項１４乃至１７の何れか１項記載の配車管理方法をコンピュータに実行させるための配車管理プログラムである。
【００４５】
請求項１８記載の発明によれば、運送業者における配車作業を迅速で効率的に行うことができ、ドライバにも配車作業内容を迅速に通知することができる。更に、ドライバは所定区域の入退場時に必要となる識別コードを迅速に取得することができるため、搬送作業を迅速で効率的に行うことができる。更に、プログラムを用いることで、特別な装置構成を必要とせず汎用のコンピュータ等で容易に配車管理を実現することができる。
【発明の効果】
【００４６】
本発明によれば、運送業者における配車作業を効率的に行い、高精度な配車管理を実現することができる。
【発明を実施するための最良の形態】
【００４７】
＜本発明の概要＞
ここで、本発明の概要について具体例を用いて説明する。本発明は、例えば海貨業者等の貨物の荷主等からの運送依頼に対して、運送業者の配車担当者等が端末のＷｅｂ画面から車両（ドライバ）の配車手配を行い、手配を完了するとメール送信画面にて設定されたドライバが所持する携帯端末等に対して通知メールを送信する。
【００４８】
ドライバは、受信したメールの内容を確認し、メールに記載されたアドレス情報に基づいてＷｅｂページへアクセスを行って所定の期間（例えば、当日や来週１週間等）の作業内容を確認することができる。
【００４９】
また、配車担当者が作業内容を変更した場合、その変更された配車作業内容の情報を対象となるドライバにメールにて通知することができる。更に、ドライバは、作業内容や港湾施設の情報等の詳細情報を携帯端末あるいは移動端末にて参照することができ、更に、港湾施設の入退場時の認証に必要な識別コードの取得もできる。
【００５０】
また、本発明では、運送業者端末からＷｅｂ画面上にて配車の手配や修正、削除等を実現することができる。上述した特徴を有することにより、運送業者における配車作業を効率的に行い、高精度な配車管理を実現することができる。
【００５１】
＜実施の形態＞
以下、上述したような特徴を有する本発明における配車管理システム、配車管理サーバ、配車管理方法、及び配車管理プログラムを好適に実施した形態について、図面を用いて説明する。なお、以下に説明する実施形態の所定区域の例としては港湾施設を用いることとし、搬送する荷物の例としてはコンテナを用いることとするが、本発明においてはこの限りではなく他の区域や荷物であってもよい。また、予約情報を管理する管理サーバは、港湾施設（港湾システム）内に設けられているものとするが、港湾施設外に設けられていてもよい。
【００５２】
＜システム構成＞
図１は、本発明における配車管理システムの一構成例である。図１に示す配車管理システム１０は、海貨業者端末１１と、運送業者端末１２と、ドライバが所持す携帯電話等からなる携帯端末１３と、配車管理サーバ１４と、港湾施設における港湾システム１５とから構成されており、夫々がインターネット等の通信ネットワーク１６により接続されている。また、通信ネットワーク１６は、無線ＬＡＮ、公衆電話回線、携帯電話回線等から構成されている。また、図１に示した海貨業者端末１１、運送業者端末１２、携帯端末１３、及び配車管理サーバ１４とは、少なくとも１つが通信ネットワーク上に構成される。
【００５３】
海貨業者端末１１は、港湾施設における荷物の搬出／搬入を行う場合に、港湾システム１５に予約情報を登録した後、運送業者端末１２に対して作業依頼を連絡する。海貨業者端末１１から運送業者端末１２への連絡はメール等にて行うことができる。
【００５４】
運送業者端末１２は、海貨業者端末１１からの依頼に対して配車担当（ドライバ）の割当てを行う。配車処理については、運送業者配車担当者が、運送業者端末１２から通信ネットワーク１６を介して配車管理サーバ１４にアクセスし、配車管理サーバにて配車担当の割当てを行う。
【００５５】
ドライバが所持する携帯端末１３は、メールの送受信及びＷｅｂの表示が可能な構成を有しており、配車管理サーバ１４から通信ネットワークを介して送信された配車情報が記載されたメールを受信する。
【００５６】
具体的には、配車管理サーバ１４のメールには、作業内容の概略が記載され、更に配車管理サーバ１４へアクセスするため、ＵＲＬ（Ｕｎｉｆｏｒｍ  Ｒｅｓｏｕｒｃｅ  Ｌｏｃａｔｏｒｓ）等のアドレス情報が記載されている。これにより、ドライバは、携帯端末１３からアドレス情報に基づいて配車管理サーバ１４にアクセスし、配車管理サーバ１４に蓄積される配車作業の詳細な内容を把握することができる。
【００５７】
また、ドライバは、携帯端末１３から港湾施設の入退場時の認証に必要となる予約管理情報を識別するための識別コードであるバーコード情報を取得する。このバーコード情報は、例えば、一次元バーコードや二次元バーコードを用いることができ、二次元バーコードを用いることにより、携帯端末に設けられた比較的小さな画面上に多くの情報をバーコードにて表示することができるため、認証時のチェックを高精度に行うことができる。また、認証チェック時にも港湾施設のゲート等に設けられているバーコードリーダ２５に提示するだけでよいため、港湾施設における迅速な認証チェックを実現することができる。
【００５８】
なお、携帯端末１３は、必ずしも携帯電話である必要はなく、例えば、ＰＤＡ（Ｐｅｒｓｏｎａｌ  Ｄｉｇｉｔａｌ  Ａｓｓｉｓｔａｎｔｓ）等の携帯情報端末でもよい。更に、携帯端末１３以外でも、配送するトラックと、配送担当者とが関連付けられている場合には、例えば、トラック等に搭載されたカーナビゲーション装置や、メールやＷｅｂ表示を備えた自動車電話等のように車両と共に移動する端末（移動端末）を利用することができる。
【００５９】
配車管理サーバ１４は、運送業者端末１２から登録された配車情報を蓄積し、更に、海貨業者端末１１、運送業者端末１２、携帯端末１３からのアクセスに対して所定の認証処理を行った後、対応する情報の表示、更新、削除等の処理を実行させ、実行させた後の参照情報、更新情報等を蓄積する。また、配車管理サーバ１４は、港湾システム１５内にあるデータベースサーバ２２のデータベース２３に直接データを蓄積したり、参照したりすることができる。
【００６０】
港湾システム１５は、ゲート管理サーバ２１と、データベースサーバ２２と、データベース２３と、バーコードリーダ用端末２４と、各ゲート毎に設置されるバーコードリーダ２５−１〜２５−ｎ（ｎ≧１）とを有するよう構成されている。
【００６１】
バーコードリーダ２５−１〜２５−ｎは、トラック等の車両が港湾施設の出入口に設置されたゲートを通過する際に、ドライバが所持する携帯端末１３に表示されるバーコードを読み取る。バーコードリーダは読み取ったバーコード情報をバーコードリーダ用端末２４に出力する。
【００６２】
ゲート管理サーバ２１は、バーコードリーダ用端末２４から受信したバーコードリーダ２５−１〜２５−ｎからの入力情報に基づいてトラックのゲートの通過の可否を判断し、その判断結果をバーコードリーダ用端末２４に送信したり、データベースサーバ２２のデータベース２３に蓄積されている予約情報に基づいて、港湾施設における各種作業情報や荷物、コンテナ等に関する情報の管理等を行う。
【００６３】
更に、ゲート管理サーバ２１は、トラックがゲートを通過した旨や、トラックの行き先についての情報等を、通信ネットワークを介して海貨業者端末１１、配送業者端末１２、配車管理サーバ１４に出力する。
【００６４】
また、データベースサーバ２２は、データベース２３へのデータの更新、変更、削除等の処理を管理するものであるが、ゲート管理サーバ２１から必ずしも物理的に独立している必要はなく、例えばゲート管理サーバ２１がデータベースサーバ２２の役割を兼ねていてもよい。また、バーコードリーダ２５は、ドライバが所持する携帯端末１３又は車両に搭載された端末等に表示された予約情報に関連付けられたバーコード情報を読み取り、バーコードリーダ用端末２４に出力する。
【００６５】
＜配車管理サーバ１４：機能構成＞
次に、配車管理サーバ１４の詳細について説明する。図２は、本発明における配車管理サーバ１４の機能構成の一例を示す図である。
【００６６】
図２に示す配車管理サーバ１４は、通信手段３１と、認証手段３２と、入力手段３３と、出力手段３４と、表示画面生成手段３５と、メール生成手段３６と、識別コード生成手段３７と、蓄積手段３８とを有するよう構成されている。
【００６７】
通信手段３１は、通信ネットワーク１６を介して海貨業者端末１１や運送業者端末１２、携帯端末１３、港湾管理システム１５等とデータの送受信を行うためのものである。認証手段３２は、海貨業者端末１１や運送業者端末１２、携帯端末１３等から配車管理サーバ１４へアクセスしてきた場合にユーザ認証を行う。
【００６８】
入力手段３３は、配車管理サーバ３３の管理者等が使用するキーボードやマウス等から設定の変更等や後述する配車管理プログラムを起動させる場合等に使用される。出力手段３４は、配車管理サーバ１４の稼動状態等を管理者が参照するために使用され、具体的にはディスプレイやスピーカ等である。
【００６９】
表示画面生成手段３５は、海貨業者端末１１や運送業者端末１２、携帯端末１３等から配車管理サーバ１４へアクセスしてきた場合に、要求内容に対応する情報を各端末に対応させて表示させるための表示画面を生成する。具体的には、搬送担当者（ドライバ）の登録時に表示される登録画面や、担当者の作業内容一覧等の表示レイアウト等を生成する。生成した表示レイアウトは、通信手段３１に出力し、通信手段３１から海貨業者端末１１や運送業者端末１２、携帯端末１３等に出力される。
【００７０】
また、メール生成手段３６は、運用業者端末１２から登録された配車情報を配車担当者に迅速に通知するためのメールを生成するものである。生成されるメール本文の内容としては、配車作業に関する基本情報（日時、場所、作業の簡単な説明等）と、作業の詳細な内容が蓄積された場所にアクセスさせるためのＵＲＬ等のアドレス情報が付与される。
【００７１】
メール生成手段３６は、蓄積手段３８又はデータベース２３に登録されているドライバのメールアドレスをメールの宛て先に設定し通信手段３１に出力する。通信手段３１は、入力されたメールを、通信ネットワーク１６を介して対応する携帯端末１３に出力する。なお、メール生成手段３６で生成されるメールは、例えばメールアドレスを海貨業者端末１１に割当てられているアドレスに変更することにより、海貨業者端末１１にも容易に配信することができる。
【００７２】
メールアドレスを受信した受信者は、メールに付加されているＵＲＬを選択することにより、対応するページを参照することができ、配車作業の詳細情報等を取得することができる。
【００７３】
識別コード生成手段３７は、携帯端末１３からの港湾システム１５のゲートを通過する時に必要となる識別コードを取得するために送られる識別コード取得要求にしたがって、識別コードを生成する。なお、識別コードは、例えばバーコード情報等からなり一次元バーコードや二次元バーコードを用いることができる。運送業者端末１２から登録された配車情報に基づいて対応する識別コードを生成する。また、識別コード生成手段３７は、生成した識別コードを配車担当となったドライバの携帯端末１３に出力する。
【００７４】
また、蓄積手段３８は、上述した各機能構成部から得られる情報を蓄積する。なお、蓄積手段３８に蓄積されている情報は、港湾システム１５内のデータベース２３に蓄積させ、必要時に、通信ネットワーク１６を介してデータベース２３を参照、変更等を行うことができる。
【００７５】
このような機能を有することにより、運送業者における配車作業を効率的に行うことができ、ドライバにも割当て内容を迅速に通知することができる。更に、ドライバは、港湾施設の入退場時の認証に必要となる識別コードを迅速に取得することができるため、配車作業を迅速で効率的に行うことができる。これにより、高精度な配車管理を実現することができる。
【００７６】
ここで、配車管理サーバ１４は、上述したように専用の装置構成により本発明における配車管理を行うこともできるが、コンピュータに実行させることができる実行プログラムを生成し、例えば、汎用のパーソナルコンピュータ、ワークステーション等にプログラムをインストールすることにより、本発明における配車管理を実現することができる。
＜ハードウェア構成＞
ここで、本発明における実行可能なコンピュータのハードウェア構成例について図を用いて説明する。図３は、本発明における配車管理処理が実現可能なハードウェア構成の一例を示す図である。
【００７７】
図３におけるコンピュータ本体には、入力装置４１と、出力装置４２と、ドライブ装置４３と、補助記憶装置４４と、メモリ装置４５と、各種制御を行うＣＰＵ（Ｃｅｎｔｒａｌ  Ｐｒｏｃｅｓｓｉｎｇ  Ｕｎｉｔ）４６と、ネットワーク接続装置４７とを有するよう構成されており、これらはシステムバスＢで相互に接続されている。
【００７８】
入力装置４１は、使用者が操作するキーボード及びマウス等のポインティングデバイスを有しており、使用者からのプログラムの実行等、各種操作信号を入力する。出力装置４２は、本発明における配車管理処理を行うためのコンピュータ本体を操作するのに必要な各種ウィンドウやデータ等を表示するディスプレイを有し、ＣＰＵ４６が有する制御プログラムによりプログラムの実行経過や結果等を表示することができる。
【００７９】
ここで、本発明において、コンピュータ本体にインストールされる実行プログラムは、例えば、ＣＤ−ＲＯＭ等の記録媒体４８等により提供される。プログラムを記録した記録媒体４８は、ドライブ装置４３にセット可能であり、記録媒体４８に含まれる実行プログラムが、記録媒体４８から読み出されて補助記憶装置４４にインストールされる。
【００８０】
補助記憶装置４４は、ハードディスク等のストレージ手段であり、本発明における実行プログラムや、本発明にて使用される配車登録情報、配信されたメール情報、コンピュータに設けられた制御プログラム等を蓄積し必要に応じて入出力を行うことができる。
【００８１】
ＣＰＵ４６は、ＯＳ（Ｏｐｅｒａｔｉｎｇ  Ｓｙｓｔｅｍ）等の制御プログラム、メモリ装置４５により読み出され格納されている実行プログラムに基づいて、各種演算や各ハードウェア構成部とのデータの入出力等、コンピュータ全体の処理を制御して、本発明における配車管理を実現することができる。プログラムの実行中に必要な各種情報は、補助記憶装置４４から取得することができ、また格納することもできる。
【００８２】
ネットワーク接続装置４７は、通信ネットワーク等と接続することにより、実行プログラムを通信ネットワークに接続されている他の端末等から取得したり、プログラムを実行することで得られた実行結果又は本発明における実行プログラム自体を他の端末等に提供することができる。
【００８３】
上述したようなハードウェア構成により、特別な装置構成を必要とせず、例えば、汎用のパーソナルコンピュータ、ワークステーション等にプログラムをインストールすることにより、低コストで高精度な配車管理を実現することができる。なお、上述のハードウェア構成は、図１に示す海貨業者端末１１や運送業者端末１２にも適用することができる。
【００８４】
次に、配車管理サーバ１４の蓄積手段３８又は港湾システム１５のデータベース２３にて蓄積されるデータ例について図を用いて説明する。図４は、本発明において蓄積されるデータベースの一例である。ここで、図４（ａ）は予約情報テーブルの一例を示し、図４（ｂ）はコンテナ情報テーブルの一例を示し、図４（ｃ）は配車情報テーブルの一例を示し、図４（ｄ）はドライバ情報テーブルの一例を示す図である。
【００８５】
図４（ａ）の予約情報テーブルは、予約番号に割当てられた運送業者を保存するテーブルである。この情報に基づいて配車担当者が予約リスト等の予約情報を表示する。ここで、図４（ａ）に示す予約情報テーブルの項目例としては、「予約Ｎｏ．」コンテナのタイプを示す「サイズタイプ」、作業が輸出か輸入かを区別する「輸出入区分」、「コンテナＮｏ．」、輸送する車両の識別コードである「トラクタＮｏ．」、「担当運送業者コード」、港湾施設で認証を行った際のゲートの通過時間を蓄積する「ゲート通過日時」、コンテナを引き取った日時を示す「引取り予定日時」等からなる。
【００８６】
また、図４（ｂ）に示すコンテナ情報テーブルは、コンテナに関する各種情報を集約して蓄積されるテーブルである。コンテナ情報テーブルの項目例としては、コンテナを外国へ輸出入する貨物船を識別するためのコードである「本船コード」、「本船名」、「寄港年」、「コンテナＮｏ．」、「サイズタイプ」、輸出するときの船を予約するための番号を示す「Ｂｏｏｋｉｎｇ  Ｎｏ．」、船の証券番号を示す「Ｂ／Ｌ  Ｎｏ．」、発注した海貨業者を示す「海貨業者」等からなる。
【００８７】
また、図４（ｃ）に示す配車情報テーブルは、どの予約番号の配車作業を誰が担当しているかが蓄積されるテーブルである。配車情報テーブルの項目例としては、「予約Ｎｏ．」、作業内容を示す「タイプ」、作業の優先順位を記号や数値等で示す「優先順位」、担当するドライバを識別するためのＩＤである「ドライバＩＤ」、「配送場所」、コンテナを引取る予定の日時を蓄積する「引取予定日時」等からなる。
【００８８】
また、図４（ｄ）に示すドライバ情報テーブルは、ドライバが在籍している会社、メールアドレス、携帯番号等の個人情報を蓄積するテーブルである。ドライバ情報テーブルの項目例としては、「ユーザＩＤ」、「パスワード」、「名前」、「ドライバＩＤ」、携帯電話（携帯端末）を識別するための識別番号である「携帯電話固体番号」、「会社名」、「携帯電話番号」、「メールアドレス」、そのドライバが担当する車両を識別する「トラクタＮｏ．」、そのドライバが配車管理サーバへ最後にログイン（アクセス）した日時を蓄積しておくための「最終ログイン日時」等からなる。
【００８９】
次に、本発明における配車管理システム全体の処理の概要についてシーケンス図を用いて説明する。なお、処理の一例として、コンテナ内の輸入品を引取る場合（輸入引取業務）について説明する。また、後述する図５に記載のシーケンス図において、点線部分の処理は、携帯端末１３を所持するドライバの作業動作を示している。
【００９０】
＜輸入引取業務の場合＞
図５は、本発明における配車管理システムを輸入引取業務の場合に適用した一例のシーケンス図である。なお、図５としては、図１に示した海貨業者端末１１、運送業者端末１２、携帯端末１３、配車管理サーバ１４、港湾システム１５の他に、港湾施設から荷物を搬出する場所を示すデバンニング場所５１を有する。
【００９１】
まず、海貨業者端末１１は、コンテナの積み下ろしを行う予定の港湾システム１５に利用予約の登録を行う（Ｓ０１）。港湾システム１５は、海貨業者端末１１からの予約情報を登録する（Ｓ０２）。次に、海貨業者端末１１からコンテナを搬送するために運送業者端末１２へ連絡を行う（Ｓ０３）。
【００９２】
次に、運送業者端末１２は、配車管理サーバ１４へアクセスし配車担当の割当を行う（Ｓ０４）。このとき、運送業者端末１２は、配車管理サーバ１４へアクセスするためにユーザＩＤ及びパスワード等のユーザ識別情報を入力している。配車管理サーバ１４は、認証手段３２により、ユーザＩＤ及びパスワードのチェックを行い（Ｓ０５）、認証した結果アクセス可能である場合に運送業者端末１２の入力情報に基づく配車処理を行う（Ｓ０６）。配車処理が終了後、割当てられた配車割当情報を登録する（Ｓ０７）。この登録は、配車管理サーバ１４の蓄積手段３８に蓄積されてもよく、また港湾システム１５のデータベース２３に蓄積させることできる。
【００９３】
また、配信サーバ１４は、登録した配車情報を担当のドライバに通知するためにメールを生成し（Ｓ０８）、ドライバが所持する携帯端末１３へ送信する（Ｓ０９）。携帯端末１３は、配車管理サーバ１４から送信されたメールを受信し（Ｓ１０）、ドライバはメールの内容を確認し、更に詳細な情報を取得するために、メール本文に含まれるＵＲＬ等のアドレス情報を選択して配車管理サーバ１４にアクセスする（Ｓ１１）。このとき、携帯端末１３は、配車管理サーバ１４に携帯電話固体番号を送信する。
【００９４】
配車管理サーバ１４は、携帯端末１３からのアクセスに対して認証手段３２が携帯電話固体番号により認証を行い（Ｓ１２）、認証した結果アクセス可能である場合にアドレス情報又は携帯電話固体番号に対応する配車作業の詳細情報を参照させる（Ｓ１３）。また、配車管理サーバ１４は、ドライバが港湾施設の入退場時の認証に必要となる識別コードの取得要求を行った場合に（Ｓ１４）、要求された作業内容に該当する識別コードを生成し（Ｓ１５）、携帯端末１３に出力する（Ｓ１６）。
【００９５】
携帯端末１３からその情報を取得したドライバは、所定の港湾施設へ車両を移動する（Ｓ１７）。港湾システム１５は、車両の入退場に対して入口ゲートにて認証処理を行う（Ｓ１８）。このとき、上述の処理で取得した認証コードを提示する。認証を行った車両は、該当する輸入品の入った実入りコンテナを車両に載せて（実入コンテナＰｉｃｋ）（Ｓ１９）、更に港湾施設の出口ゲートにて認証を行う（Ｓ２０）。
【００９６】
その後、コンテナを所定のデバンニング場所５１へ搬送し（Ｓ２１）、デバンニング場所５１でコンテナ内の荷物の降ろしを行う（Ｓ２２）。
【００９７】
更に、デバンニング場所５１から空きコンテナを車両に載せて（空コンテナＰｉｃｋ）（Ｓ２３）、港湾施設へコンテナを搬送する（Ｓ２４）。次に、港湾システム１５は、Ｓ１８と同様に認証処理を行い（Ｓ２５）、認証を行った後、空きコンテナを返却する（Ｓ２６）。なお、Ｓ２３〜Ｓ２６までは他のドライバが行うことがある。この場合は、Ｓ２２の処理が完了した時点で、ドライバが携帯端末１３にて配車管理サーバ１４にアクセスし次の作業内容を確認する。
【００９８】
図５に示すように、配車管理サーバ１４を有することにより、運送業者端末１２によりコンテナの配車担当が割当てられてから、ドライバに対して迅速に作業内容を通知することができる。また、港湾施設の入退場時の認証で必要となる認証コードを迅速に取得することができる。したがって、配車作業内容を迅速に行い搬送作業も迅速に行うことができる。
【００９９】
なお、図５は、本発明における配車管理システムを輸入引取業務の場合に適用した場合のシーケンス図を示したが、例えば、輸出搬入業務でも適用できる。この場合には、ドライバは携帯端末１３で作業内容を確認し、識別コードを取得した後、所定の港湾施設へ車両を移動して空きコンテナを車両に積み、バンニング場所へ移動してコンテナに荷物を載せた後、実入りコンテナを車両に積み港湾施設へ搬送することで実入りコンテナの搬入を行う。
【０１００】
つまり、図５のシーケンスにおいて、「デバンニング場所」を「バンニング場所」に、Ｓ１９の「実入りＰｉｃｋ」を「空コンテナＰｉｃｋ」に、Ｓ２２の「デバンニング」を「バンニング」に、Ｓ２３の「空コンテナＰｉｃｋ」を「実入コンテナＰｉｃｋ」に、Ｓ２６の「空コンテナＰｉｃｋ」を「搬入」に夫々変更することにより、輸出搬入業務のシーケンスとなる。
【０１０１】
これにより、輸出搬入業務であった場合でもコンテナの配車担当が割り当てられてから、ドライバに迅速に作業内容を通知することができる。また、港湾施設の入退場時の認証で必要となる認証コードを迅速に取得することができる。したがって、配車作業内容を迅速に行い搬送作業も迅速に行うことができる。
【０１０２】
次に、配車サーバ１４における配車管理の具体的な処理内容と対応する画面構成（レイアウト）例について、図を用いて説明する。
【０１０３】
＜配車設定処理＞
図６は、配車管理サーバにおける配車設定処理手順の一例を示すフローチャートである。図６において、まず配車管理サーバ１４は、運送業者端末１２からアクセスがあると、ユーザＩＤ／パスワード（ユーザ識別情報）を入力させる（Ｓ１０１）。次に、入力されたユーザＩＤ／パスワードに基づいて、アクセスしてきた運送業者端末が利用可能であるかの認証を行う（Ｓ１０２）。ここで、認証の結果がＯＫであるかを判断し（Ｓ１０３）、ＯＫである場合（Ｓ１０３において、ＹＥＳ）、配車設定画面の表示を行う（Ｓ１０４）。なお、配車設定画面についての説明は後述する。次に、運送業者端末１２から入力される配車の割当て情報を入力し（Ｓ１０５）、割当てられた配車情報を登録する（Ｓ１０６）。また、搬送を担当するドライバに対して作業内容を連絡するためのメールを生成し対応するドライバが所持する携帯端末１３に送信する（Ｓ１０７）。
【０１０４】
なお、Ｓ１０３の認証において、認証結果がＯＫでない場合（Ｓ１０３において、ＮＯ）、直ぐに処理を終了する。また、Ｓ１０３のステップにおいては、認証がＯＫでない場合に、Ｓ１０１に戻り、ユーザＩＤ／パスワードを再度入力させるような処理を行ってもよい。
【０１０５】
＜配車設定画面＞
ここで、上述した配車設定画面における具体的なレイアウト例について図を用いて説明する。図７は、本発明における配車設定画面のレイアウトの一例を示す図である。図７に示す配車設定画面１００は、担当選択領域１０１と、予約作業内容表示領域１０２と、ボタン領域１０３とを有するよう構成されている。
【０１０６】
担当選択領域１０１は、日付指定領域１０４にて配車の割当てを行う日付を選択し、表示ボタン１０５を選択すると、その日に現時点で予約されている作業内容が予約作業内容表示領域１０２に表示される。次に、ドライバ選択領域１０６にて、予め図４（ｄ）のドライバ情報テーブルに登録されているドライバから所定のドライバを選択すると、対応するドライバ情報１０７が表示される。図７では、ドライバ情報１０７の項目として、「名前」、「会社名」、「トラクタＮｏ．」、その日にドライバに割当てられている作業数を表示する「当日配車割当数」、「最終ログイン日時」等が表示されている。
【０１０７】
また、２人以上のドライバの割当てを同時に行う場合は、追加ボタン１０８を選択した後、ドライバ選択領域１０６にて選択することにより、ドライバ情報１０７が複数表示される。また、作業選択領域に表示されているドライバ（担当者）をクリアしたい場合は、担当者クリアボタン１０９を選択する。
【０１０８】
担当者の選択が終了後、予約作業内容表示領域１０２に表示されている予約リスト１１０を参照して、配車作業の割当てを行う。割当てを行う場合は、予約情報毎に設けられているチェックボックス１１１にチェックすることにより、担当を割当てることができる。なお、チェックボックス１１１は、コンテナをバンニング場所又はデバンニング場所へ搬送するまでの作業と、バンニング場所又はデバンニング場所からコンテナを積んで、港湾施設へ搬送する作業とに分けて作業の割当てを行うことができるよう設定されている。
【０１０９】
図７では、予約リスト１１０として、「予約Ｎｏ．」、輸出入の区分を示す「Ｉ／Ｅ」、「本船名」、「Ｂ／Ｌ・Ｂｏｏｋｉｎｇ  Ｎｏ．」、「サイズタイプ」、「タイプ」、「引取数」、「残数」、「担当者」、「配送場所」、「引取予定日時」等が表示される。ここで、予約リスト１１０において「予約Ｎｏ．」、「Ｉ／Ｅ」、「本船名」、「Ｂ／Ｌ・Ｂｏｏｋｉｎｇ  Ｎｏ．」、「サイズタイプ」については、直前の行と同一であるため表示を省略している。また、上述した「残数」は、図４（ａ）に示す予約情報テーブルから同一の予約Ｎｏ．を集計することでコンテナ数がわかるため、これを「引取数」とし、また同じテーブルに「ゲート通過日時」という項目があるため、この項目に値が入力されている項目を集計して「引取済」とし、「引取数」から「引取済」を引いた値を「残数」として表示している。
【０１１０】
また、ボタン領域１０３は、登録ボタン１１２と、チェッククリアボタン１１３と、印刷ボタン１１４とを有し、担当選択領域１０１と、予約作業内容表示領域１０２とにおいて、担当者（ドライバ）に割当て行った後、登録ボタン１１２を選択することで、割当てられた配車作業を登録することができる。なお、登録された情報は、図４に示したテーブルに蓄積される。また、チェックボックス１１１にて選択した内容をクリアする場合は、チェッククリアボタン１１３を選択する。更に、印刷ボタン１１４を選択することにより、上述にて設定した内容をそのまま印刷することができる。上述した配車設定画面により、運送業者の配車担当者は容易に配車の割当てを行うことができる。
【０１１１】
＜配車変更処理＞
次に、既に登録された配車情報から配車担当の変更や配車順序の変更を行う場合の配車変更処理手順について、フローチャートを用いて説明する。
【０１１２】
図８は、配車管理サーバにおける配車変更処理手順の一例を示すフローチャートである。図８において、まず、配車管理サーバ１４は、運送業者端末１２からアクセスがあると、ユーザＩＤ／パスワードを入力させる（Ｓ１１１）。次に、入力されたユーザＩＤ／パスワードに基づいて認証を行う（Ｓ１１２）。ここで、認証の結果がＯＫであるかを判断し（Ｓ１１３）、ＯＫである場合（Ｓ１１３において、ＹＥＳ）、配車変更画面の表示を行う（Ｓ１１４）。なお、配車変更画面についての説明は後述する。
【０１１３】
次に、運送業者端末１２から入力される配車変更情報を入力され（Ｓ１１５）、入力された配車変更情報を登録する（Ｓ１１６）。また、ドライバに対して作業内容の変更を知らせるメールを生成し、ドライバが所持する携帯端末１３に送信する（Ｓ１１７）。なお、Ｓ１１３の認証において、認証結果がＯＫでない場合（Ｓ１１３において、ＮＯ）、直ぐに処理を終了する。また、Ｓ１１３のステップにおいては、認証がＯＫでない場合に、Ｓ１１１に戻り、ユーザＩＤ／パスワードを再度入力させるような処理を行ってもよい。
【０１１４】
＜配車変更画面＞
ここで、上述した配車変更画面のレイアウト例について図を用いて説明する。図９は、本発明における配車設定画面のレイアウトの一例を示す図である。図９に示す配車変更画面１２０は、担当選択領域１２１と、作業内容表示領域１２２と、ボタン領域１２３とを有するよう構成されている。
【０１１５】
担当選択領域１２１では、日付指定領域１２４にて、配車の割当てを行う日付を選択し、更に、ドライバ選択領域１２５にて、予め図４（ｄ）に示すドライバ情報テーブルに登録されているドライバから所定のドライバを選択して、表示ボタン１２６を選択する。これにより、そのドライバ情報１２７と、その日に予約された作業内容が作業内容表示領域１２２に表示される。図９では、ドライバ情報１２７として、「名前」、「会社名」、「トラクタＮｏ．」、「当日配車割当数」、「最終ログイン日時」等が表示される。
【０１１６】
担当者の選択が終了後、作業内容表示領域１２２に表示されている作業内容情報１２８を参照して、配車作業の変更を行う。作業内容情報１２８として、作業の順序を示す「順番」、「予約Ｎｏ．」輸出入の区分を示す「Ｉ／Ｅ」、「本船名」、「Ｂ／Ｌ・Ｂｏｏｋｉｎｇ  Ｎｏ．」、「サイズタイプ」、「タイプ」、引取るコンテナの数を示す「引取数」、今までに配車手配された数の残りの配車が必要な数を示す「残数」、「担当者」、「配送場所」、「引取予定日時」等が表示される。なお、作業内容情報１２８に示す「順番」は、図４（ｃ）に示す配車情報テーブルの「優先順位」に基づいて設定される順序である。これらの情報は、変更可能な情報であり、配車担当者がキーボード等の入力装置により作業内容情報１２８に直接変更することができる。
【０１１７】
また、ボタン領域１２３は、登録ボタン１２９と、戻りボタン１３０と、印刷ボタン１３１とを有する。作業内容表示領域１２２に表示されている作業内容情報１２８を変更して登録ボタン１２９を選択することにより、変更した内容が更新登録され、変更後の情報が作業内容情報１２８に表示される。また、戻りボタン１３０は、登録ボタン１２９を選択する前に作業内容情報１２８にて変更した内容を元に戻す場合に使用する。また、印刷ボタン１３１を選択することにより、上述にて設定した内容をそのまま印刷することができる。
【０１１８】
ここで、配車変更画面１２０により配車変更する具体例を説明する。例えば、作業内容の順番を変更する場合には、順番が「３」と記載されている作業内容の番号を「１」と変更することにより、その作業（予約Ｎｏ．０３１０２７４００８３）が先頭に作業内容情報１２８の先頭に移動し、変更前の作業内容が「１」であった作業（予約Ｎｏ．０３１０２７４０００１）の順番が「２」に、「２」の作業（予約Ｎｏ．０３１０２７４０００２）の順番が「３」に夫々対応して変更される。これにより、作業内容を容易に変更することができる。なお、順番等は、運送業者端末から設定することにより変更することもできるが、所定の項目の内容の変更に対応させて順番（優先順位）を変更させることもできる。例えば、引取予定日時の日程を早く変更した場合に、その時間を他の作業の引取予定日時に対応させて順序を変更させることができる。
【０１１９】
また、印刷ボタン１３１を選択することにより、上述にて設定した内容をそのまま印刷することができる。
【０１２０】
上述した配車設定画面により、運送業者の配車担当者は容易に配車の割当ての変更を行うことができる。また、ドライバも作業内容の変更をメールにより迅速に取得することができる。
【０１２１】
＜メール送信処理＞
次に、携帯端末へのメール送信手順について説明する。図１０は、配信管理サーバにおけるメール送信手順の一例を示すフローチャートである。なお、図１０においては、図１０において、まず、配車管理サーバ１４は、運送業者端末１２からアクセスがあると、ユーザＩＤ／パスワードを入力させる（Ｓ１２１）。次に、入力されたユーザＩＤ／パスワードに基づいて認証を行う（Ｓ１２２）。次に、認証の結果がＯＫであるかを判断し（Ｓ１２３）、ＯＫである場合（Ｓ１２３において、ＹＥＳ）、メール送信画面の表示を行う（Ｓ１２４）。なお、メール送信画面についての説明は後述する。
【０１２２】
次に、運送業者端末１２から設定されたドライバに対してメール送信を行う（Ｓ１２５）。なお、Ｓ１２３の認証において、認証結果がＯＫでない場合（Ｓ１２３において、ＮＯ）、直ぐに処理を終了する。また、Ｓ１２３のステップにおいては、認証がＯＫでない場合に、Ｓ１２１に戻り、ユーザＩＤ／パスワードを再度入力させるような処理を行ってもよい。
【０１２３】
＜メール送信画面＞
ここで、上述したメール送信画面のレイアウト例について図を用いて説明する。図１１は、本発明におけるメール送信画面のレイアウトの一例を示す図である。図１１に示すメール送信画面１４０は、ドライバ選択領域１４１と、ボタン領域１４２とを有するよう構成されている。
【０１２４】
担当選択領域１４１では、運送業者端末１２に対応するドライバ、つまり、配車管理サーバ１４にアクセスした運送業者端末に所属するドライバの個人情報からなるドライバリスト１４３が表示されている。図１１では、ドライバリスト１４３として、「名前」、「トラクタＮｏ．」、「メールアドレス」、「携帯電話番号」、運送業者端末が指定した日のドライバの作業割当数を表示する「配車割当数」、「最終ログイン日時」等が表示される。
【０１２５】
運送業者の配車担当者は、運送業者端末１２からメールを送信する担当者（ドライバ）をチェックボックス１４４にてチェックして選択する。ボタン領域１４２には、メール送信ボタン１４５、全てチェックボタン１４６、チェッククリアボタン１４７、及び印刷ボタン１４８を有する。配車担当者がドライバ選択領域１４１にてドライバを選択し、メール送信ボタン１４５を選択することにより、チェックボックス１４４にチェックされたドライバに対してメールの送信を行う。また、ドライバ選択領域１４１に表示されたドライバ全てにメール通知する場合は、全てチェックボタン１４６を選択した後、メール送信ボタン１４５を選択する。また、チェックボックス１４４にて選択した内容をクリアする場合は、チェッククリアボタン１４７を選択する。更に、選択した内容を印刷する場合は、印刷ボタン１４８を選択する。
【０１２６】
また、図１１に示すメール送信画面１４０により、最終ログイン日時が表示されているため、ドライバが作業の通知を見ているかを容易に判断することができ、必要に応じて、ドライバに何度でも繰り返しメールを通知することができるため、ドライバに迅速で確実に作業内容を通知することができる。
【０１２７】
次に、配車管理サーバ１４が携帯端末にメールを送信した後の処理についてフローチャートを用いて説明する。なお、ドライバが所持する携帯端末１３から配車管理サーバへのアクセスする場合の例として、輸入時の実入りコンテナ引取りと、輸入時の空コンテナ返却と、輸出時の空コンテナ引取りと、輸出時のコンテナ搬入とについて夫々説明する。
【０１２８】
＜輸入時の実入りコンテナ引取処理＞
図１２は、輸入時の実入りコンテナを引取る場合における処理手順を説明するための一例を示すフローチャートである。
【０１２９】
図１２において、まず、上述したように配車管理サーバ１４が携帯端末１３に対してメールを送信する（Ｓ２０１）。次に、携帯端末１３の固体番号を取得して携帯端末１３の認証を行う（Ｓ２０２）。なお、携帯端末１３からユーザＩＤ／パスワード等のユーザ識別情報を入力させて認証を行ってもよい。
【０１３０】
次に、認証の結果がＯＫであるかを判断する（Ｓ２０３）。認証の結果がＯＫである場合（Ｓ２０３において、ＹＥＳ）、携帯端末１３に対応するドライバが担当する作業内容を表示する（Ｓ２０４）。また、作業内容が複数ある場合には、引取るコンテナを選択させる（Ｓ２０５）。
【０１３１】
次に、選択されたコンテナをドライバが運転する車両が積むことができるかを判断する（Ｓ２０６）。具体的に説明すると、例えば２ｔトラックに４ｔ以上あるコンテナを輸送することはできないため、その車両と選択したコンテナとの搬送の可否を行う。
【０１３２】
コンテナの引取りが可能である場合（Ｓ２０６において、ＹＥＳ）、コンテナの詳細な情報（追加情報）が必要であるかの確認を行う（Ｓ２０７）。この追加情報とは、図４（ｂ）に示すコンテナ情報テーブルに記載されている項目等である。コンテナ情報が必要である場合（Ｓ２０７において、ＹＥＳ）、引取コンテナ情報の表示を行う（Ｓ２０８）。また、コンテナの引取りが可能である場合（Ｓ２０６において、ＮＯ）、Ｓ２０４に戻り、他の引取りコンテナを選択させる。
【０１３３】
Ｓ２０８のステップが終了後、又はコンテナ情報の追加の指示がない場合（Ｓ２０７において、ＮＯ）、選択されたコンテナの引取り時に港湾施設の入退場時の認証で必要となる認証用の識別コードである二次元バーコードを生成し（Ｓ２０９）、その二次元バーコードを携帯端末１３に表示させる（Ｓ２１０）。また、Ｓ２１０にて二次元バーコードを表示させた時刻を、図４（ｄ）に示すドライバ情報テーブルの「最終ログイン日時」に登録する。
【０１３４】
なお、Ｓ２０３において、認証がＯＫでなかった場合（Ｓ２０３において、ＮＯ）、処理を終了する。これにより、ドライバ毎に所持している携帯端末１３を通じて、担当する作業内容を容易に把握することができると共に、港湾施設の入退場時の認証に必要となる識別コードを迅速に取得することができる。
【０１３５】
＜輸入時の空コンテナ返却処理＞
次に、輸入時の空コンテナ返却処理を行う場合の処理手順についてフローチャートを用いて説明する。図１３は、輸入時の空きコンテナを返却する場合における処理手順を説明するための一例を示すフローチャートである。
【０１３６】
図１３において、まず、配車管理サーバ１４が携帯端末に対してメールを送信する（Ｓ２２１）。次に、携帯端末１３の固体番号を取得して携帯端末１３の認証を行う（Ｓ２２２）。なお、なお、携帯端末１３からユーザＩＤ／パスワード等のユーザ識別情報を入力させて認証を行ってもよい。
【０１３７】
次に、認証の結果がＯＫであるかを判断する（Ｓ２２３）。認証の結果がＯＫである場合（Ｓ２２３において、ＹＥＳ）、携帯端末１３に対応するドライバが担当する作業内容を表示する（Ｓ２２４）。なお、ここでは、携帯端末１３に表示させるコンテナ情報は、予めそのドライバに対応する車両の大きさに基づいた空きコンテナが表示される。
【０１３８】
次に、返却する空きコンテナをドライバに確認させた後、返却する港湾施設の入退場時の認証で必要となる認証用の識別コードである二次元コードを生成し（Ｓ２２６）、その二次元バーコードを携帯端末１３に表示させる（Ｓ２２７）。また、Ｓ２２７にて二次元バーコードを表示させた時刻を、図４（ｄ）に示すドライバ情報テーブルの「最終ログイン日時」に登録する。なお、Ｓ２２３において、認証がＯＫでなかった場合（Ｓ２２３において、ＮＯ）、処理を終了する。
【０１３９】
これにより、ドライバ毎に所持している携帯端末１３により、担当する作業内容を容易に把握することができると共に、港湾施設の入退場時における認証で必要となる認証用の識別コードを迅速に取得することができる。
【０１４０】
なお、上述の輸入時の実入りコンテナ引取処理及び輸入時の空コンテナ返却処理は、上述の図５に示すように１つの作業として行うこともできる。この場合は、Ｓ２０７で取得した識別コードを用いて、空きコンテナの返却を行う際の港湾施設での認証を行う。
【０１４１】
＜輸出時の空コンテナ引取処理＞
次に、輸出時の空コンテナ引取処理について説明する。図１４は、輸出時の空コンテナを引取る場合における処理手順を説明するための一例を示すフローチャートである。
【０１４２】
図１４において、まず、配車管理サーバ１４が携帯端末１３に対してメールを送信する（Ｓ２３１）。次に、携帯端末１３の固体番号を取得して携帯端末１３の認証を行う（Ｓ２３２）。なお、携帯端末１３からユーザＩＤ／パスワード等のユーザ識別情報を入力させて認証を行ってもよい。
【０１４３】
次に、認証の結果がＯＫであるかを判断する（Ｓ２３３）。認証の結果がＯＫである場合（Ｓ２３３において、ＹＥＳ）、携帯端末１３に対応するドライバが担当する作業内容を表示する（Ｓ２３４）。また、作業内容が複数ある場合には、空きコンテナを選択させる（Ｓ２３５）。
【０１４４】
次に、選択されたコンテナについて、そのドライバの車両が積むことができるサイズタイプを選択させる（Ｓ２３６）。上述の各ステップにて取得した情報に基づいて港湾施設の入退場時の認証で必要となる認証用の識別コードである二次元コードを生成し（Ｓ２３７）、二次元バーコードを携帯端末１３に表示させる（Ｓ２３８）。また、Ｓ２３８にて二次元バーコードを表示させた時刻を、図４（ｄ）に示すドライバ情報テーブルの「最終ログイン日時」に登録する。なお、Ｓ２３３において、認証がＯＫでなかった場合（Ｓ２３３において、ＮＯ）、処理を終了する。
【０１４５】
これにより、ドライバ毎に所持している携帯端末１３により、担当する作業内容を容易に把握することができると共に、港湾施設の入退場時の認証で必要となる認証用の識別コードを迅速に取得することができる。
【０１４６】
＜輸出時のコンテナ搬入処理＞
次に、輸出時コンテナ搬入処理を行う場合の処理手順についてフローチャートを用いて説明する。図１５は、輸出時のコンテナを搬入する場合における処理手順を説明するための一例を示すフローチャートである。
【０１４７】
図１５において、まず、配車管理サーバ１４が携帯端末１３に対してメールを送信する（Ｓ２４１）。次に、携帯端末１３の固体番号を取得して携帯端末１３の認証を行う（Ｓ２４２）。なお、携帯端末１３からユーザＩＤ／パスワード等のユーザ識別情報を入力させて認証を行ってもよい。
【０１４８】
次に、認証の結果がＯＫであるかを判断する（Ｓ２４３）。認証の結果がＯＫである場合（Ｓ２４３において、ＹＥＳ）、携帯端末１３に対応するドライバが担当する作業内容を表示する（Ｓ２４４）。次に、搬入するコンテナを選択させ（Ｓ２４５）、選択されたコンテナに搬入するために港湾施設の入退場時の認証で必要となる認証用の識別コードである二次元コードを生成し（Ｓ２４６）、その二次元バーコードを携帯端末に表示させる（Ｓ２４７）。また、Ｓ２４７にて二次元バーコードを表示させた時刻を、図４（ｄ）に示すドライバ情報テーブルの「最終ログイン日時」に登録する。なお、Ｓ２４３において、認証がＯＫでなかった場合（Ｓ２４３において、ＮＯ）、処理を終了する。
【０１４９】
これにより、ドライバ毎に所持している携帯端末１３により、担当する作業内容を容易に把握することができると共に、港湾施設の入退場時の認証で必要となる認証用の識別コードを容易に取得することができる。
【０１５０】
＜携帯端末表示画面例＞
次に、上述した配車管理サーバ１４の処理において、携帯端末１３へ表示される画面の遷移例について図を用いて説明する。図１６は、本発明における携帯端末の画面遷移の一例を示す図である。
【０１５１】
図１６において、配車管理サーバ１４からメールを受信し、その受信した内容から配車管理サーバ１４へアクセスして認証された後、画面２０１に示すようなメニュー画面が表示される。このメニュー画面は、アクセスしてきた携帯端末固有のものであり、予め設定しておくことで表示内容を変更することもできる。画面２０１では、メニューとして「作業リスト」、「港湾システム」、「本船動静」、「コンテナＮｏ．検索」等が表示される。
【０１５２】
ここで、「作業リスト」とは、上述したドライバ毎の作業内容の詳細な情報を取得し、また、港湾施設の入退場時の認証で必要となる認証用の識別コードを取得するための項目である。また、「港湾システム」とは、搬送する港湾施設や港湾施設を管理する港湾システムについての情報を表示するための項目である。また、「本船動静」とは、本船が所定の港に到着しているか否かを確認するための項目である。具体的な内容としては、「本船名」、「予定到着時刻」、「到着時刻」、「予定出発時刻」、「出発時刻」等が表示される。更に、「コンテナＮｏ．検索」では、入力するコンテナが現在どこの港湾施設又はバンニング場所又はデバンニング場所、あるいは本船にあるかを検索することができる。
【０１５３】
メニュー画面から「作業リスト」を選択すると、画面２０２に遷移し、作業日付に対応する当日の作業リスト一覧が表示される。ここで、ドライバにより作業リスト中にあるうちの１つが選択されると、画面２０３に遷移し、対応する作業の詳細情報を得ることができる「ＵＲＬ」、「バンニング場所又はデバンニング場所」、「本船名」、「Ｂｏｏｋｉｎｇ  Ｎｏ．」等が表示される。
【０１５４】
画面２０３において、表示されるＵＲＬを選択し、搬送するコンテナが複数ある場合は、画面２０４に示すようにそのコンテナ番号のリストが表示される。この中からドライバが携帯端末によりコンテナを選択すると、配車管理サーバ１４は、そのドライバが選択したコンテナを搬送することが可能であるかをチェックする。搬送が可能である場合は、搬送する港湾施設の入退場時の認証で必要となる認証用の識別コードである二次元コードを生成し、画面２０６に示すような二次元バーコードを表示する。
【０１５５】
また、画面２０３にて選択されるＵＲＬにて、画面２０５に示すようにコンテナのサイズタイプが表示される場合は、そのサイズタイプから１つのサイズタイプを選択する。配車管理サーバ１４は、搬送する港湾施設の入退場時の認証で必要となる認証用の識別コードである二次元コードを生成し、画面２０６に示すような二次元バーコードを表示する。
【０１５６】
更に、画面２０３にて選択されるＵＲＬにて、対応する作業が１種類しか存在しない場合は、配車管理サーバ１４は、直ぐに搬送する港湾施設の入退場時の認証で必要となる認証用の識別コードである二次元コードを生成し、画面２０６に示すような二次元バーコードを表示する。
【０１５７】
このように、配車管理サーバ１４からのメールに基づいて、ドライバは詳細で正確な作業内容を取得することができる。さらに、港湾施設の入退場時の認証で必要となる認証用の識別コードを迅速に取得することができる。
【０１５８】
上述したように本発明によれば、運送業者における配車作業を迅速で効率的に行うことができ、ドライバにも配車作業内容を迅速に通知することができる。更に、ドライバは所定区域の入退場時に必要となる識別コードを迅速に取得することができるため、搬送作業を迅速で効率的に行うことができる。これにより、高精度な配車管理を実現することができる。
【０１５９】
また、上述した本実施の形態では、港湾施設における予約情報が蓄積された港湾システムと関連付けた配車管理システムについて説明したが、本発明においてはこの限りではなく、例えば物流倉庫等への搬送システム等についても本発明の配車管理システムを適用させることができる。
【０１６０】
以上本発明の好ましい実施例について詳述したが、本発明は係る特定の実施形態に限定されるものではなく、特許請求の範囲に記載された本発明の要旨の範囲内において、種々の変形、変更が可能である。
【図面の簡単な説明】
【０１６１】
【図１】本発明における配車管理システムの一構成例である。
【図２】本発明における配車管理サーバ１４の機能構成の一例を示す図である。
【図３】本発明における配車管理処理が実現可能なハードウェア構成の一例を示す図である。
【図４】本発明において蓄積されるデータベースの一例である。
【図５】本発明における配車管理システムを輸入引取業務の場合に適用した一例のシーケンス図である。
【図６】配車管理サーバにおける配車設定処理手順の一例を示すフローチャートである。
【図７】本発明における配車設定画面のレイアウトの一例を示す図である。
【図８】配車管理サーバにおける配車変更処理手順の一例を示すフローチャートである。
【図９】本発明における配車設定画面のレイアウトの一例を示す図である。
【図１０】図１０は、配信管理サーバにおけるメール送信手順の一例を示すフローチャートである。
【図１１】本発明におけるメール送信画面のレイアウトの一例を示す図である。
【図１２】輸入時の実入りコンテナを引取る場合における処理手順を説明するための一例を示すフローチャートである。
【図１３】輸入時の空きコンテナを返却する場合における処理手順を説明するための一例を示すフローチャートである。
【図１４】輸出時の空コンテナを引取る場合における処理手順を説明するための一例を示すフローチャートである。
【図１５】輸出時のコンテナを搬入する場合における処理手順を説明するための一例を示すフローチャートである。
【図１６】本発明における携帯端末の画面遷移の一例を示す図である。
【符号の説明】
【０１６２】
１０  配車管理システム
１１  海貨業者端末
１２  運送業者端末
１３  携帯端末
１４  配車管理サーバ
１５  港湾システム
１６  通信ネットワーク
２１  ゲート管理サーバ
２２  データベースサーバ
２３  データベース
２４  バーコードリーダ用端末
２５  バーコードリーダ
３１  通信手段
３２  認証手段
３３  入力手段
３４  出力手段
３５  表示画面生成手段
３６  メール生成手段
３７  識別コード生成手段
３８  蓄積手段
４１  入力装置
４２  出力装置
４３  ドライブ装置
４４  補助記憶装置
４５  メモリ装置
４６  ＣＰＵ
４７  ネットワーク接続装置
４８  記録媒体
５１  デバンニング場所
１００  配車設定画面
１０１，１２１  担当選択領域
１０２  予約作業内容表示領域
１０３，１２３，１４２  ボタン領域
１０４，１２４  日付指定領域
１０５，１２６  表示ボタン
１０６，１２５  ドライバ選択領域
１０７，１２７  ドライバ情報
１０８  追加ボタン
１０９  担当者クリアボタン
１１０  予約リスト
１１１，１４４  チェックボックス
１１２，１２９  登録ボタン
１１３，１４７  チェッククリアボタン
１１４，１３１，１４８  印刷ボタン
１２０  配車変更画面
１２２  作業内容表示領域
１２８  作業内容情報
１３０  戻りボタン
１４０  メール送信画面
１４１  ドライバ選択領域
１４３  ドライバリスト
１４５  メール送信ボタン
１４６  全てチェックボタン
【図１】
2005263477.tif 000003
【図２】
2005263477.tif 000004
【図３】
2005263477.tif 000005
【図４】
2005263477.tif 000006
【図５】
2005263477.tif 000007
【図６】
2005263477.tif 000008
【図７】
2005263477.tif 000009
【図８】
2005263477.tif 000010
【図９】
2005263477.tif 000011
【図１０】
2005263477.tif 000012
【図１１】
2005263477.tif 000013
【図１２】
2005263477.tif 000014
【図１３】
2005263477.tif 000015
【図１４】
2005263477.tif 000016
【図１５】
2005263477.tif 000017
【図１６】
2005263477.tif 000018